(57)【要約】  ポリマー材料および天然抗酸化剤を含む、食品包装材料。天然抗酸化剤は、植物材料から抽出され、単離され、かつ／または誘導されてよい。天然抗酸化剤およびポリマー樹脂を含む混合物を形成すること、ならびに混合物を加工して、食品包装材料を形成することを含む、食品包装材料を形成する方法も提供される。
2018537369.tif 000002
【特許請求の範囲】
【請求項１】
ポリマー材料および天然抗酸化剤を含む、食品包装材料。
【請求項２】
前記天然抗酸化剤が、約０．００００１重量％〜２０重量％の量で、または約０．０００１重量％〜５重量％の量で、または約０．００１重量％〜１重量％の量で、または約０．００５重量％〜０．１重量％の量で、または約０．００１重量％〜０．０１重量％の量で、前記食品包装材料中に存在する、請求項１に記載の食品包装材料。
【請求項３】
前記天然抗酸化剤が、約０．１ｐｐｍ〜２０，０００ｐｐｍの量で、または約１ｐｐｍ〜５０，０００ｐｐｍの量で、または約１０ｐｐｍ〜１０，０００ｐｐｍの量で、または約５０ｐｐｍ〜１０００ｐｐｍの量で、または約１０ｐｐｍ〜１００ｐｐｍの量で、前記食品包装材料中に存在する、請求項１に記載の食品包装材料。
【請求項４】
前記天然抗酸化剤が、植物材料から抽出され、単離され、かつ／または誘導される、請求項１〜３のいずれか一項に記載の食品包装材料。
【請求項５】
前記植物材料が、果物／ベリー、ハーブ、スパイス、茶およびその組合せから選択される、請求項１〜４のいずれか一項に記載の食品包装材料。
【請求項６】
前記果物／ベリーが、プラム、プルーン、ブドウ、レーズン、ブルーベリー、ラズベリー、ブラックベリー、イチゴ、カカドゥプラム、レモンアスペン、デビッドソンズプラム、クワンダン、ライベリー、オレンジ、ココア、チェリー、クランベリー、ビルベリー、キーウィ、アサイーベリー、グレープフルーツ、セイヨウナシ、アプリコット、バナナ、リンゴ、クロスグリ、アボカド、ボイセンベリー、カンタロープ、ココナッツ、ドラゴンフルーツ、ドリアン、デーツ、エルダーベリー、ゴジベリー、グアバ、ハックルベリー、ジャックフルーツ、ジュニパーベリー、キンカン、レモン、ライム、オーストラリアンデザートライム、ブッシュトマト、マンゴー、ハニーデューメロン、スイカ、マルベリー、ネクタリン、オリーブ、マンダリン、パパイア、モモ、カキ、ザクロ、パイナップル、ポメロ、マルメロ、マンゴー、レッドカラント、ランブータン、スターフルーツ、タマリロ、アグリフルーツ、コーヒーおよびその組合せから選択される、請求項５に記載の食品包装材料。
【請求項７】
前記ハーブが、バジル、ディル、ベイリーフ、チャイブ、クレソン、アルファルファ、マシュマロウ、ラベンダー、レモングラス、タスマニアペッパー、レモンマートル、アニスマートル、マジョラム、ミント、ヨモギ、レモンバーム、アリタソウ、カレーリーフ、パセリ、シソ、サンショウ、ラビジ、ヒソップ、カノコソウ、ノコギリソウ、カタバミ、タラゴン、チャービル、ジンブ、クルマバソウ、タイマ、ルー、ミツバ、ローズマリー、セージ、オレガノ、タイム、スペアミント、ペパーミント、コエンドロ、シナモン、カシア、フェンネル、フェヌグリーク、ディルマスタード、クローブ、サフラン、タマネギ、ニンニク、ニラ、ショウガ、ターメリック、グレープシード、ブラックペッパー、スターアニス、ダイズ、メースおよびその組合せを含む葉、花、種、木皮、球根、種衣および根から選択される、請求項５に記載の食品包装材料。
【請求項８】
前記茶が、緑茶、白茶、黄茶、ハーブ茶、後発酵茶、ウーロン茶または黒茶である、請求項５に記載の食品包装材料。
【請求項９】
前記茶が、チャノキ（Camellia sinensis）から得られる、請求項５に記載の食品包装材料。
【請求項１０】
前記ハーブが、多年生草本である、請求項５に記載の食品包装材料。
【請求項１１】
前記ハーブが、ローズマリー属（Rosmarinus）、サルビア属（Salvia）またはオレガノ属（Origanum）から選択される、請求項５に記載の食品包装材料。
【請求項１２】
前記ハーブが、ローズマリー（Rosmarinus officinalis）、セージ（Salvia officinalis）、オレガノ（Origanum vulgaro）およびその組合せから選択される、請求項１１に記載の食品包装材料。
【請求項１３】
前記ハーブが、ローズマリーである、請求項１２に記載の食品包装材料。
【請求項１４】
前記スパイスが、ワトルシード、サフラン、ショウガ、ターメリック、グレープシード、チリペッパー、クミン、オールスパイス、アニス、キャラウェイ、カルダモン、カシア、シナモン、クローブ、コエンドロ、クミン、フェンネル、フェヌグリーク、ゲットウ、ニンニク、ショウガ、セイヨウワサビ、コクム、マスタード、ナツメグ、ポピーシード、ローズ、パプリカ、サフラン、キハゼ、タマリンド、ターメリック、バニラ、ゴマ、サルサパリラ、サッサフラス、トンカビーンおよびその組合せを含む葉、花、種、木皮、球根、種衣および根から選択される、請求項５に記載の食品包装材料。
【請求項１５】
前記天然抗酸化剤が、フェノール、ポリフェノール、フェノール酸、フェノールエステル、フェノールモノテルペン、フェノールジテルペン、カロチノイド、クルクミン、キサントン、ビタミンＡ、ＥおよびＣ、カフェオイル誘導体、クエン酸、アスコルビン酸、モノ−、ジ−またはトリテルペン、フラボノイド、テルペノイド、リグナン、スルフィド、植物ステロール、クルクミン、スチルベノイド、フタリド、トコトリエノール、トコフェロールおよびその組合せから選択される、請求項１に記載の食品包装材料。
【請求項１６】
前記天然抗酸化剤が、カフェー酸、ロスマリン酸、カルノソール、カルノシン酸およびその組合せから選択される、請求項１に記載の食品包装材料。
【請求項１７】
前記天然抗酸化剤が、フェノールジテルペンを含むローズマリー抽出物である、請求項１に記載の食品包装材料。
【請求項１８】
前記天然抗酸化剤が、カルノシン酸およびカルノソールを含むローズマリー抽出物である、請求項１に記載の食品包装材料。
【請求項１９】
前記天然抗酸化剤が、少なくとも４０重量％のカルノシン酸およびカルノソールを含むローズマリー抽出物である、請求項１に記載の食品包装材料。
【請求項２０】
前記天然抗酸化剤が、ルテイン、ルチン、アントシアニン、α−ピネン、ボルネオール、（−）−カンフェン、１，８−シネオール、カンファー、ベルべノン、ボルニルアセテート、１２−Ｏ−メチルカルノシン酸、カフェオイル誘導体、ルパン、オレアナン、ウルサントリテルペン、ウルソル酸、クエルセチン、ロフィセロン、モノテルペン、ミルセン、７−メチルエピロスマノール、カンファー、カテキン、カルバクロール、イソスクテラレイン７−Ｏ−グルコシド、ゲンクワニン、ｐ−シメン、リナロオール、ガンマ−テルピネン、チモール、β−ピネン、オイカリプトール、リノール酸、ロスマリキノン、モノテルペン炭化水素、酸化モノテルペン、セスキテルペン炭化水素、（−）−メチルジャスモネート、ロスマノール、ロスマジアル、ｏ−キノン、ｐ−キノン、エリオシトリン、ルテオリン３−Ｏ−ベータ−Ｄ−グルクロニド、ヘスペリジン、ジオスミン、イソスクテラレイン７−Ｏ−グルコシド、ヒスピデュリン７−Ｏ−グルコシド、ギンゲロール、ショウガオール、ジンゲロン、４−ヒドロキシシンナモイルメタン、ケンペロール、ラムネチン、カプサイシン、カプサイシノール、フェノール揮発性油、オイゲノール、アセチルオイゲノール、アスコルビルパルミテート、イソオイゲノール、タンニン、ベータカロテン、ベータ−シトステロール、ヒドロキノン、酢酸リナリルプラント３−１７、ミルセン、テルピネン−４−オール、クミナル、−γ−テルピネン、ピノカルベノール、リナロオール、１−メチル−２−（１−メチルエチル）ベンゼン、カロトール、イソロスマノール、アツントゼンシン（atuntzensin）Ａ、ロスマノール−７−エチルエーテル、ジメトキシ−ロスマノール、ロスマジアル、サフィシノリド、サゲオン、ロスマリキノン（ミルトロン（Miltrone））、ロスマリジフェノール、フィスシオン、アピゲニン、ヒスピデュリン、シルシマリチン、５，４’−ジヒドロキシ−６，７，８−トリメトキシフラボン、５−ヒドロキシ−７，４’−ジメトキシフラボン、カルノソールのメチルおよびエチルエステル、カフェー酸、プロトカテキュ酸、２−カフェオイルオキシ−３−［２−（４−ヒドロキシベンジル）−４，５−ジヒドロキシ］フェニルプロピオン酸、フラボノイド、エリオジクチオール、ジヒドロクエルセチン、ジヒドロケンペロール、ｐ−クメン−２，３−ジオール、没食子酸、サルビゲニン、ルテオリン、ユーパホリン、ルテオリン−７−Ｏ−グルコシド、ホモプランタギニン、アピゲニン−７−Ｏ−グルコシド、６−Ｏ−カフェオイル−ベータ−Ｄ−フルクトフラノシル−（２−−＞１）−アルファ−Ｄ−グルコピラノシド、１−Ｏ−カフェオイル−ベータ−Ｄ−アピオフラノシル−（１−−＞６）−ベータ−Ｄ−グルコピラノシド、１−Ｏ−ｐ−ヒドロキシベンゾイル−ベータ−Ｄ−アピオフラノシル−（１−−＞６）−ベータ−Ｄ−グルコピラノシド、１−Ｏ−（２−ヒドロキシ−５−２−ヒドロキシ−エチル）フェニル−６−Ｏ−トランスカフェオイル）−ベータ−Ｄ−グルコピラノシド、４−Ｏ−（５−Ｏ−（３，５−ジメトキシ−４−ヒドロキシベンゾイル）−ベータ−Ｄ−アピオフラノシル−（１−−＞２）−ベータ−Ｄ−グルコピラノシド、６−Ｏ−Ｅ−フェロイル��（アルファおよびベータ）−グルコピラノシド、（＋）−１−ヒドロキシピノレジノール−１ベータ−Ｄ−グルコシド、（＋）−フラキシレジノール（fraxiresinol）−１−ベータ−Ｄ−グルコシドおよびその組合せ、（−）−エピカテキン（ＥＣ）、（−）−エピカテキンガラート（ＥＣＧ）、（−）−エピガロカテキン（ＥＧＣ）および（−）−エピガロカテキンガラート（ＥＧＣＧ）を含むカテキン化合物、バニリン、クロロゲンおよび五環系トリテルペン、例えば、ウルソール、オレアノール、ベツリン酸、ボツリン、アルファ−アミリン、ベータ−アミリンおよびその組合せから選択される、請求項１に記載の食品包装材料。
【請求項２１】
前記天然抗酸化剤が、有機物である、請求項１に記載の食品包装材料。
【請求項２２】
前記天然抗酸化剤が、前記食品包装材料のコーティング、層、シートまたは壁部の中および／または上に組み込まれる、請求項１〜２１のいずれか一項に記載の食品包装材料。
【請求項２３】
使用中に、前記天然抗酸化剤が、食品の上および／または中に移行する、請求項１〜２２のいずれか一項に記載の食品包装材料。
【請求項２４】
天然抗酸化剤の異性体である抗酸化剤をさらに含む、請求項１〜２３のいずれか一項に記載の食品包装材料。
【請求項２５】
天然抗酸化剤の異性体である前記抗酸化剤が、エリソルビン酸ナトリウムである、請求項２４に記載の食品包装材料。
【請求項２６】
前記ポリマー材料が、ポリエチレンテレフタレート（ＰＥＴ）、ポリ乳酸（ＰＬＡ）、ポリエチレン（ＰＥ）、エチレンビニルアルコールコポリマー（ＥＶＯＨ）、ポリプロピレン（ＰＰ）、ポリ塩化ビニリデン（ＰＶｄＣ）、ポリスチレン（ＰＳ）、ポリテトラフルオロエチレン（ＰＴＦＥ）、ポリ塩化ビニル（ＰＶＣ）、ポリアミドまたはナイロン（ＰＡ）およびその組合せから選択される、請求項１〜２５のいずれか一項に記載の食品包装材料。
【請求項２７】
単一または複数のポリマー層を含む、請求項１〜２６のいずれか一項に記載の食品包装材料。
【請求項２８】
複数のポリマー層を含む、請求項２７に記載の食品包装材料。
【請求項２９】
第１、第２およびバリアポリマー層を含み、前記第１の層が、前記天然抗酸化剤を含み、前記第２の層が、脱酸素剤を含み、かつ前記第２の層が、前記第１の層と前記バリア層との間に位置する、請求項２８に記載の食品包装材料。
【請求項３０】
押出成形によって製造される、請求項１〜２９のいずれか一項に記載の食品包装材料。
【請求項３１】
前記食品包装材料が、フィルムの形態である、請求項１〜３０のいずれか一項に記載の食品包装材料。
【請求項３２】
請求項１〜３１のいずれか一項に記載の食品包装材料から形成されるか、またはそれを含む、食品包装。
【請求項３３】
ラップ、包装紙、バッグ、容器、トレイ、シート、カートン、箱、ボトル、ボトルキャップ、ライナー、チューブ、バリアシートまたはブロックである、請求項３２に記載の食品包装。
【請求項３４】
前記バッグが、リクローザブルバッグまたはフリーザーバッグである、請求項３３に記載の食品包装。
【請求項３５】
ラップである、請求項３３に記載の食品包装。
【請求項３６】
天然抗酸化剤およびポリマー樹脂を含む混合物を形成すること；および
前記混合物を加工して、食品包装材料を形成すること
を含む、方法。
【請求項３７】
前記加工が、押出、成型、真空成形、キャスティングまたはラミネーションを含む、請求項３６に記載の方法。
【発明の詳細な説明】
【技術分野】
【０００１】
分野
本発明は、抗酸化剤活性食品包装に関する。
【背景技術】
【０００２】
背景
脂質酸化は、包装食品の保存および貯蔵寿命を有意に制限する、食品の品質低下、変色および劣化の主要な原因である。ポリマー産業では、非天然抗酸化剤が、加工間のポリマーの熱劣化を防ぐために使用されてきた。しかしながら、そのような抗酸化剤から食品中への潜在的な毒性のため、それらを食品包装で使用することは不適切である。さらに、消費者は、食品中の非天然物質の存在に対して、強い偏見を有する。
【発明の概要】
【発明が解決しようとする課題】
【０００３】
これに関連して、安全、天然由来の抗酸化剤活性食品包装が必要とされている。
【課題を解決するための手段】
【０００４】
要約
本発明によると、ポリマー材料および天然抗酸化剤を含む、食品包装材料が提供される。
【０００５】
天然抗酸化剤は、約０．００００１重量％〜２０重量％の量で、または約０．０００１重量％〜５重量％の量で、または約０．００１重量％〜１重量％の量で、または約０．００５重量％〜０．１重量％の量で、または約０．００１重量％〜０．０１重量％の量で、食品包装材料中に存在してよい。
【０００６】
天然抗酸化剤は、約０．１ｐｐｍ〜２０，０００ｐｐｍの量で、または約１ｐｐｍ〜５０，０００ｐｐｍの量で、または約１０ｐｐｍ〜１０，０００ｐｐｍの量で、または約５０ｐｐｍ〜１０００ｐｐｍの量で、または約１０ｐｐｍ〜１５０ｐｐｍの量で、または約１０ｐｐｍ〜１００ｐｐｍの量で、または約４０ｐｐｍまでの量で、食品包装材料中に存在してよい。
【０００７】
天然抗酸化剤は、植物材料から抽出され、単離され、かつ／または誘導されてよい。
【０００８】
植物材料は、果物／ベリー、ハーブ、スパイス、茶およびその組合せから選択されてよい。
【０００９】
果物／ベリーは、プラム、プルーン、ブドウ、レーズン、ブルーベリー、ラズベリー、ブラックベリー、イチゴ、カカドゥプラム、レモンアスペン、デビッドソンズプラム、クワンダン、ライベリー、オレンジ、ココア、チェリー、クランベリー、ビルベリー、キーウィ、アサイーベリー、グレープフルーツ、セイヨウナシ、アプリコット、バナナ、リンゴ、クロスグリ、アボカド、ボイセンベリー、カンタロープ、ココナッツ、ドラゴンフルーツ、ドリアン、デーツ、エルダーベリー、ゴジベリー、グアバ、ハックルベリー、ジャックフルーツ、ジュニパーベリー、キンカン、レモン、ライム、オーストラリアンデザートライム、ブッシュトマト、マンゴー、ハニーデューメロン、スイカ、マルベリー、ネクタリン、オリーブ、マンダリン、パパイア、モモ、カキ、ザクロ、パイナップル、ポメロ、マルメロ、マンゴー、レッドカラント、ランブータン、スターフルーツ、タマリロ、アグリフルーツ、コーヒーおよびその組合せから選択されてよい。
【００１０】
ハーブは、バジル、ディル、ベイリーフ、チャイブ、クレソン、アルファルファ、マシュマロウ、ラベンダー、レモングラス、タスマニアペッパー、レモンマートル、アニスマートル、マジョラム、ミント、ヨモギ、レモンバーム、アリタソウ、カレーリーフ、パセリ、シソ、サンショウ、ラビジ、ヒソップ、カノコソウ、ノコギリソウ、カタバミ、タラゴン、チャービル、ジンブ、クルマバソウ、タイマ、ルー、ミツバ、ローズマリー、セージ、オレガノ、タイム、スペアミント、ペパーミント、コエンドロ、シナモン、カシア、フェンネル、フェヌグリーク、ディルマスタード、クローブ、サフラン、タマネギ、ニンニク、ニラ、ショウガ、ターメリック、グレープシード、ブラックペッパー、スターアニス、ダイズ、メースおよびその組合せを含む葉、花、種、木皮、球根、種衣および根から選択されてよい。
【００１１】
茶は、緑茶、白茶、黄茶、ハーブ茶、後発酵茶、ウーロン茶または黒茶であってよい。茶は、チャノキ（Camellia sinensis）から得られてよい。
【００１２】
ハーブは、多年生草本であってよい。
【００１３】
ハーブは、ローズマリー属（Rosmarinus）、サルビア属（Salvia）またはオレガノ属（Origanum）から選択されてよい。一実施形態において、ハーブは、ローズマリー（Rosmarinus officinalis）、セージ（Salvia officinalis）、オレガノ（Origanum vulgaro）およびその組合せから選択されてよい。別の実施形態において、ハーブは、ローズマリーであってよい。
【００１４】
スパイスは、ワトルシード、サフラン、ショウガ、ターメリック、グレープシード、チリペッパー、クミン、オールスパイス、アニス、キャラウェイ、カルダモン、カシア、シナモン、クローブ、コエンドロ、クミン、フェンネル、フェヌグリーク、ゲットウ、ニンニク、ショウガ、セイヨウワサビ、コクム、マスタード、ナツメグ、ポピーシード、ローズ、パプリカ、サフラン、キハゼ、タマリンド、ターメリック、バニラ、ゴマ、サルサパリラ、サッサフラス、トンカビーンおよびその組合せを含む葉、花、種、木皮、球根、種衣および根から選択されてよい。
【００１５】
天然抗酸化剤は、フェノール、ポリフェノール、フェノール酸、フェノールエステル、フェノールモノテルペン、フェノールジテルペン、カロチノイド、クルクミン、キサントン、ビタミンＡ、ＥおよびＣ、カフェオイル誘導体、クエン酸、アスコルビン酸、モノ−、ジ−またはトリテルペン、フラボノイド、テルペノイド、リグナン、スルフィド、植物ステロール、クルクミン、スチルベノイド、フタリド、トコトリエノール、トコフェロールおよびその組合せから選択されてよい。
【００１６】
天然抗酸化剤は、カフェー酸、ロスマリン酸、カルノソール、カルノシン酸およびその組合せから選択されてよい。
【００１７】
天然抗酸化剤は、フェノールジテルペンを含むローズマリー抽出物であってよい。
【００１８】
天然抗酸化剤は、カルノシン酸およびカルノソールを含むローズマリー抽出物であってよい。一実施形態において、天然抗酸化剤は、少なくとも４０重量％のカルノシン酸およびカルノソールを含むローズマリー抽出物であってよい。
【００１９】
天然抗酸化剤は、ルテイン、ルチン、アントシアニン、α−ピネン、ボルネオール、（−）−カンフェン、１，８−シネオール、カンファー、ベルべノン、ボルニルアセテート、１２−Ｏ−メチルカルノシン酸、カフェオイル誘導体、ルパン、オレアナン、ウルサントリテルペン、ウルソル酸、クエルセチン、ロフィセロン、モノテルペン、ミルセン、７−メチルエピロスマノール、カンファー、カテキン、カルバクロール、イソスクテラレイン７−Ｏ−グルコシド、ゲンクワニン、ｐ−シメン、リナロオール、ガンマ−テルピネン、チモール、β−ピネン、オイカリプトール、リノール酸、ロスマリキノン、モノテルペン炭化水素、酸化モノテルペン、セスキテルペン炭化水素、（−）−メチルジャスモネート、ロスマノール、ロスマジアル、ｏ−キノン、ｐ−キノン、エリオシトリン、ルテオリン３−Ｏ−ベータ−Ｄ−グルクロニド、ヘスペリジン、ジオスミン、イソスクテラレイン７−Ｏ−グルコシド、ヒスピデュリン７−Ｏ−グルコシド、ギンゲロール、ショウガオール、ジンゲロン、４−ヒドロキシシンナモイルメタン、ケンペロール、ラムネチン、カプサイシン、カプサイシノール、フェノール揮発性油、オイゲノール、アセチルオイゲノール、アスコルビルパルミテート、イソオイゲノール、タンニン、ベータカロテン、ベータ−シトステロール、ヒドロキノン、酢酸リナリルプラント３−１７、ミルセン、テルピネン−４−オール、クミナル、−γ−テルピネン、ピノカルベノール、リナロオール、１−メチル−２−（１−メチルエチル）ベンゼン、カロトール、イソロスマノール、アツントゼンシン（atuntzensin）Ａ、ロスマノール−７−エチルエーテル、ジメトキシ−ロスマノール、ロスマジアル、サフィシノリド、サゲオン、ロスマリキノン（ミルトロン（Miltrone））、ロスマリジフェノール、フィスシオン、アピゲニン、ヒスピデュリン、シルシマリチン、５，４’−ジヒドロキシ−６，７，８−トリメトキシフラボン、５−ヒドロキシ−７，４’−ジメトキシフラボン、カルノソールのメチルおよびエチルエステル、カフェー酸、プロトカテキュ酸、２−カフェオイルオキシ−３−［２−（４−ヒドロキシベンジル）−４，５−ジヒドロキシ］フェニルプロピオン酸、フラボノイド、エリオジクチオール、ジヒドロクエルセチン、ジヒドロケンペロール、ｐ−クメン−２，３−ジオール、没食子酸、サルビゲニン、ルテオリン、ユーパホリン、ルテオリン−７−Ｏ−グルコシド、ホモプランタギニン、アピゲニン−７−Ｏ−グルコシド、６−Ｏ−カフェオイル−ベータ−Ｄ−フルクトフラノシル−（２−−＞１）−アルファ−Ｄ−グルコピラノシド、１−Ｏ−カフェオイル−ベータ−Ｄ−アピオフラノシル−（１−−＞６）−ベータ−Ｄ−グルコピラノシド、１−Ｏ−ｐ−ヒドロキシベンゾイル−ベータ−Ｄ−アピオフラノシル−（１−−＞６）−ベータ−Ｄ−グルコピラノシド、１−Ｏ−（２−ヒドロキシ−５−２−ヒドロキシ−エチル）フェニル−６−Ｏ−トランスカフェオイル）−ベータ−Ｄ−グルコピラノシド、４−Ｏ−（５−Ｏ−（３，５−ジメトキシ−４−ヒドロキシベンゾイル）−ベータ−Ｄ−アピオフラノシル−（１−−＞２）−ベータ−Ｄ−グルコピラノシド、６−Ｏ−Ｅ−フェロイル−（��ルファおよびベータ）−グルコピラノシド、（＋）−１−ヒドロキシピノレジノール−１ベータ−Ｄ−グルコシド、（＋）−フラキシレジノール（fraxiresinol）−１−ベータ−Ｄ−グルコシドおよびその組合せ、（−）−エピカテキン（ＥＣ）、（−）−エピカテキンガラート（ＥＣＧ）、（−）−エピガロカテキン（ＥＧＣ）および（−）−エピガロカテキンガラート（ＥＧＣＧ）を含むカテキン化合物、バニリン、クロロゲンおよび五環系トリテルペン、例えば、ウルソール、オレアノール、ベツリン酸、ボツリン、アルファ−アミリン、ベータ−アミリンおよびその組合せから選択されてよい。
【００２０】
天然抗酸化剤は、有機物であってよい。
【００２１】
天然抗酸化剤は、食品包装材料のコーティング、層、シートまたは壁部の中および／または上に組み込まれてよい。
【００２２】
天然抗酸化剤は、使用中、食品の上および／または中に移行してよい。
【００２３】
食品包装材料は天然抗酸化剤の異性体である抗酸化剤をさらに含んでよい。異性体は、立体異性体であってよい。
【００２４】
天然抗酸化剤の異性体である抗酸化剤は、エリソルビン酸ナトリウムであってよい。
【００２５】
ポリマー材料は、ポリエチレンテレフタレート（ＰＥＴ）、ポリ乳酸（ＰＬＡ）、ポリエチレン（ＰＥ）、エチレンビニルアルコールコポリマー（ＥＶＯＨ）、ポリプロピレン（ＰＰ）、ポリ塩化ビニリデン（ＰＶｄＣ）、ポリスチレン（ＰＳ）、ポリテトラフルオロエチレン（ＰＴＦＥ）、ポリ塩化ビニル（ＰＶＣ）、ポリアミドまたはナイロン（ＰＡ）およびその組合せから選択されてよい。一実施形態において、ポリマー材料は、低密度ポリエチレン（ＬＤＰＥ）または線形低密度ポリエチレン（ＬＬＤＰＥ）である。
【００２６】
食品包装材料は、単一または複数のポリマー層を含んでよい。一実施形態において、食品包装材料は、複数のポリマー層を含む。
【００２７】
食品包装材料は、第１、第２およびバリアポリマー層を含んでよく、第１の層が、天然抗酸化剤を含み、第２の層が、脱酸素剤を含み、かつ第２の層が、第１の層とバリア層との間に位置する。
【００２８】
食品包装材料は、押出成形によって製造されてよい。
【００２９】
食品包装材料は、フィルム、例えば、クリングフィルムであってよい。
【００３０】
本発明は、上記の食品包装材料から形成されるか、またはそれを含む、食品包装をさらに提供する。
【００３１】
食品包装材料は、ラップ、包装紙、バッグ（例えば、リクローザブルバッグまたはフリーザーバッグ）、容器、トレイ、シート、カートン、箱、ボトル、ボトルキャップ、ライナー、チューブ、バリアシート、ブロックおよびその組合せであってよい。一実施形態において、食品包装材料は、例えば、ＰＥバッグなどのバッグである。
【００３２】
本発明は、
天然抗酸化剤およびポリマー樹脂を含む混合物を形成すること；および
混合物を加工して、食品包装材料を形成すること
を含む、方法も提供する。
【００３３】
加工は、押出、成型、真空成形、キャスティングまたはラミネーションを含んでよい。
【図面の簡単な説明】
【００３４】
図面の簡単な説明
【図１】カルノソールおよびカルノシン酸のピークが実施例２の試料１から移行することを示すクロマトグラム。
【図２】カルノソールおよびカルノシン酸のピークが実施例２の試料２から移行することを示すクロマトグラム。
【図３】カルノソールおよびカルノシン酸のピークが実施例２の試料３から移行することを示すクロマトグラム。
【図４】カルノソールおよびカルノシン酸のピークが実施例２の試料４から移行することを示すクロマトグラム。
【図５】カルノソールおよびカルノシン酸のピークが実施例２の試料５から移行することを示すクロマトグラム。
【図６】カルノソールおよびカルノシン酸のピークが市販のローズマリー抽出物から移行することを示すクロマトグラム。
【図７】実施例３で使用されるＥＶＯＯを含有するバッグ。
【図８】様々な量の抗酸化剤を有するフリーザーバッグ中に貯蔵されたＥＶＯＯの過酸化物価。
【図９】様々な量の抗酸化剤を有するフリーザーバッグ中に貯蔵されたＥＶＯＯの過酸化物価。
【発明を実施するための形態】
【００３５】
実施形態の説明
本発明は、ポリマー材料および天然抗酸化剤を含む食品包装材料に関する。本明細書で使用される場合、「天然抗酸化剤」という用語は、抗酸化剤が、天然由来生成物、化合物または化合物の混合物であることを意味すると理解される。天然由来生成物、化合物または化合物の混合物は、典型的に、天然供給源から得られる。代わりに、天然由来化合物は、合成化学を利用して研究所で合成されてよいか、または商業的供給源から購入されてもよい。
【００３６】
本発明の実施形態による抗酸化剤活性食品包装材料は、一般に、ポリマー材料の中および／または上に組み込まれた天然抗酸化剤を含む。ポリマー材料は、ＰＥＴ、ＰＬＡ、ＰＥ、ＥＶＯＨ、ＰＰ、ＰＶｄＣ、ＰＳ、ＰＶＣ、ＰＡおよびその組合せから選択されてよい。典型的に、ポリマー材料は、包装材料の望ましい最終目標に基づいて選択されるであろう。例えば、肉および調理済み料理を含む新鮮な製品を包装するために、ＰＶＣが一般に使用される。高密度ポリエチレン（ＰＥ）は、冷凍食品用のフィルムおよび容器で一般に使用される。
【００３７】
天然抗酸化剤は、次の生産段階の１つまたはそれ以上において、ポリマー材料の中および／または上に組み込まれてよい：
（ｉ）重合段階の間（すなわち、ポリマー材料の製造間に、直接）；
（ｉｉ）配合または混合段階などの、その後の加工段階において、仕上げられた粒質物への添加；
（ｉｉｉ）押出機または射出金型におけるなど、加工機自体において；ならびに／あるいは
（ｉｖ）例えば、コーティングの一部としてなど、仕上げられたプロセス物品自体に適用される。
（ｖ）ポリマー材料中へ組み込むが、抗酸化剤をその材料中へ放出するプロセスからの保護を提供するカプセル化された膜において。
【００３８】
ポリマー材料および天然抗酸化剤の均質混合物を得るために、天然抗酸化剤は、配合または混合段階においてポリマー材料に組み込まれてよい。配合または混合段階において、天然抗酸化剤は、固体、液体、油、粉として、または乳濁液として添加されてよい。一実施形態において、天然抗酸化剤は、マスターバッチを形成するために、ポリマー樹脂、キャリアおよびクリング添加剤などの他の任意の添加剤と配合または混合されてよい。マスターバッチは、食品包装において使用するために適切な他の従来的な機能的プラスチック添加剤、例えば、粘着付与剤、分散剤および化合物または着色剤を任意選択的に含んでもよい。適切なキャリアとしては、多孔性樹脂、例えば、微孔性ＬＬＤＰＥ、高密度ポリエチレン（ＨＤＰＥ）、ＬＤＰＥ、ナイロン、ポリスチレン、または高構造化もしくは高表面積シリカ、またはワックス、例えば、ポリエチレンワックス（低分子量ポリエチレン）、スチレン変性ポリマーおよびコポリマー、例えば、スチレン−エチレン−ブチレンポリマー、スチレン−イソプレンコポリマー、スチレン−エチレン−プロピレンブロックコポリマーおよびスチレン−ブタジエンコポリマー、例えば、Chevron Philipsから入手可能なＫ樹脂、あるいは天然または合成ゼオライトが含まれる。
【００３９】
ポリマー材料の中および／または上に天然抗酸化剤添加剤を組み込むために、他の同等か、または別の加工技術が使用されてもよい。
【００４０】
天然抗酸化剤添加剤を組み込むポリマー樹脂のマスターバッチは、その後、例えば、食品包装材料を形成するために、押出成形（キャストフィルム押出成形およびブローフィルム押出成形を含む）、成型またはラミネーションによって加工されてよい。天然抗酸化剤添加剤は、食品包装材料のコーティング、層、シートまたは壁部の中および／または上に組み込まれてよい。食品包装材料のシートまたは壁部は、１層またはそれ以上のポリマー材料の層を含んでもよい。
【００４１】
食品包装材料は、複数のポリマー層を含んでもよい。一実施形態において、食品包装材料は、外部バリア層、天然抗酸化剤を含む第１の層および脱酸素剤を含む第２の層を含む。第２の層は、バリア層と第１の層との間に位置する。使用中、第１の層は、食物上および／または中への天然抗酸化剤の移行を可能にするように、食品と接触するように意図される。脱酸素剤を含む第２の層は、包装中の酸素の除去または最小化を補助する。バリア層は、パッケージ中への酸素の通過を防ぐか、または最小化する。適切な脱酸素剤は、包装のヘッドスペースにおける酸素濃度、どの程度、酸素が食品中に最初に含まれているか、そして貯蔵の間に周囲空気から包装中に輸送されるであろう酸素の量次第で選択されてよい。ポリマー中に組み込まれてよい適切な脱酸素剤の例としては、鉄ベースの化合物、アスコルベート、金属塩、コバルト触媒およびカテコールが含まれる。金属汚染が食品に与えられる可能性を最小化するために、非鉄化合物が好ましくなり得る。
【００４２】
個々のポリマー層の厚さは、バリア層として、脱酸素剤層として、または抗酸化剤層としての機能などの層の意図された機能を実行するために十分であり得る。
【００４３】
多層包装材料は、例えば、押出成形およびラミネーションによって製造されてよい。多層フィルムを調製する１つの模範的な方法は、ポリマー層を共押出することを含む。多層共押出フィルムは、次いで、最初に冷却し、そしてその後ラミネーションするか、またはバリア層上に押出成形することによって、バリア層にラミネーションすることができる。
【００４４】
いくつかの実施形態において、食品包装材料は、フィルム、例えば、クリングフィルムであってよい。本発明は、本明細書中に記載される食品包装材料から形成されるか、またはそれを含む食品包装も包括する。食品包装の非限定的な例としては、ラップ、包装紙、バッグ（例えば、リクローザブルバッグまたはフリーザーバッグ）、容器、トレイ、シート、カートン、ボトルキャップ、箱、ボトル、ライナー、バリアシート、ブロックおよびその組合せが含まれる。
【００４５】
天然抗酸化剤添加剤は、それがポリマー材料から食品の上および／または中に移行して、それによって、食品の酸化が抑制されるか、または遅らせることが可能であるような量で、ポリマー材料の中および／または上に組み込まれてよい。抗酸化剤は、食品中または周囲雰囲気中で発生し、かつ脂質酸化に関係するフリーラジカル、超酸化物および一重項酸素などの高度に反応的な種を掃去し得る。抗酸化剤は、酸化促進剤触媒の中和を補助し得る。抗酸化剤作用は、酸化および食品品質の悪化を制御、遅延または抑制し得、食品の色、香および芳香を保存し、そして食品の栄養価を維持し得、かつ貯蔵寿命を長くし得る。
【００４６】
天然抗酸化剤は、約０．００００１重量％〜２０重量％の量で、または約０．０００１重量％〜５重量％の量で、または約０．００１重量％〜１重量％の量で、または約０．００５重量％〜０．１重量％の量で、または約０．００１重量％〜０．０１重量％の量で、食品包装材料中に存在してよい。
【００４７】
天然抗酸化剤は、約０．１ｐｐｍ〜２０，０００ｐｐｍの量で、または約１ｐｐｍ〜５０，０００ｐｐｍの量で、または約１０ｐｐｍ〜１０，０００ｐｐｍの量で、または約５０ｐｐｍ〜１０００ｐｐｍの量で、または約１０ｐｐｍ〜１５０ｐｐｍの量で、または約１０ｐｐｍ〜１００ｐｐｍの量で、または約４０ｐｐｍまでの量で、食品包装材料中に存在してよい。
【００４８】
いくつかの実施形態において、天然抗酸化剤は、相乗効果を達成するように組み合わされてよい。例えば、セージ抗酸化剤のラジカル掃去活性は、クエン酸のキレート化性能と組み合わせられてよい。このアプローチは、異なる抗酸化剤機構経路を利用し、それによって、単一抗酸化剤の使用と比較して、より高い有効性を可能にする。それぞれの抗酸化剤の量は、同じか、または異なってもよい。一実施形態において、ビタミンＣは、その後の分子を再生することによって、相乗的にトコフェロールと相互作用し得る。別の実施形態において、ハーブローズマリーからのロスマリン酸などのフェノール酸は、相乗的にベータ−トコフェロールと相互作用し得る。フェノール酸およびフラボノイドを含むポリフェノールは、相乗的にビタミン抗酸化剤と相互作用し得、それによって、抗酸化剤作用が強化され得る。
【００４９】
天然抗酸化剤は、植物材料から抽出され、単離され、かつ／または誘導されてよい。典型的に、天然抗酸化剤は、植物材料からの抽出物である。天然抗酸化剤は、有機物であってよい。
【００５０】
本明細書で使用される場合、「抽出物」という用語は、植物材料から誘導される活性調製物を意味する。本明細書に関して、「活性」とは、抽出物が、本明細書に開示される望ましい抗酸化剤作用を生じることが可能であることを意味する。抽出物は、当業者によって、有効成分を抽出するための方法として理解されるであろう「抽出」のプロセスによって得られる。抽出プロセスは、活性調製物を溶解し、そしてそれを残余の望ましくない植物材料から分離するために、液体または超臨界流体で植物材料を処理することを含み得る。抽出物は、液体の形態（例えば、滲出液、溶液、浸出液またはチンキとして）あるいは固体の形態（例えば、粉体または顆粒として）であり得る。
【００５１】
模範的な抽出プロセスとしては、ヘキサン、アセトン、エタノール、水またはその混合物を含む食品グレードの溶媒による処理、植物をグラウンディングすることによる機械的抽出、油との混合、次いで加熱、撹拌およびプレス濾過、小量のエタノールによる加圧熱水抽出を使用する複数段階での超臨界二酸化炭素抽出、超音波補助メタノール抽出および水蒸気蒸留およびエタノールによる解離を含む。
【００５２】
食品包装材料での使用に適切である抽出物は、いずれかの入手可能な植物材料の単一、組合せおよび／または連続抽出によって得られる水、ゲル、油および／または有機溶剤ベースの抽出物であり得る。適切な抽出プロセス、ならびに抽出のための適切な溶媒および液体は、当業者に知られている。抽出のために使用される水系溶媒（例えば、水、酸、塩基）；油（例えば、ココナッツ）；ならびに有機溶媒（例えば、ヘキサン、エタノール、メタノール、アセトン、テトラヒドロフランおよびクロロホルム）は、抽出のために連続的、または組合せ混合物中のいずれかで使用されてよい。例えば、超臨界窒素または二酸化炭素を使用する超臨界流体抽出法も、抽出物を得るために使用されてよい。
【００５３】
さらに、例えば、抽出物の安定性を増加または維持するため、抽出物の物理的形態を変性または変更するため、あるいは食品包装材料中への抽出物の配合を補助するために、抽出物が１つまたはそれ以上の抽出後段階を受けてもよいことを当業者は認識するであろう。
【００５４】
抽出物は、いずれの適切な植物材料から誘導されてもよい。適切な植物材料としては、限定されないが、葉、根、樹皮、果物、新芽、（ヘーゼルナッツ、ピーナッツ、アーモンドクルミなどの）ナッツ、種および花が含まれる。植物材料は、例えば、新鮮であっても、乾燥されていても、またはフリーズドライされていてもよい。いかなる植物種に関しても、２種以上の植物材料が抽出物の製造のために使用されてよい。当業者は、天然抗酸化剤抽出物が、商業的供給源からも入手されてよいことを理解するであろう。
【００５５】
植物材料は、果物／ベリー、ハーブ、スパイス、茶およびその組合せから選択されてよい。ハーブは、多年生草本であってもよい。
【００５６】
果物／ベリーは、プラム、プルーン、ブドウ、レーズン、ブルーベリー、ラズベリー、ブラックベリー、イチゴ、カカドゥプラム、レモンアスペン、デビッドソンズプラム、クワンダン、ライベリー、オレンジ、ココア、チェリー、クランベリー、ビルベリー、キーウィ、アサイーベリー、グレープフルーツ、セイヨウナシ、アプリコット、バナナ、リンゴ、クロスグリ、アボカド、ボイセンベリー、カンタロープ、ココナッツ、ドラゴンフルーツ、ドリアン、デーツ、エルダーベリー、ゴジベリー、グアバ、ハックルベリー、ジャックフルーツ、ジュニパーベリー、キンカン、レモン、ライム、オーストラリアンデザートライム、ブッシュトマト、マンゴー、ハニーデューメロン、スイカ、マルベリー、ネクタリン、オリーブ、マンダリン、パパイア、モモ、カキ、ザクロ、パイナップル、ポメロ、マルメロ、マンゴー、レッドカラント、ランブータン、スターフルーツ、タマリロ、アグリフルーツ、コーヒーおよびその組合せから選択されてよい。
【００５７】
ハーブは、バジル、ディル、ベイリーフ、チャイブ、クレソン、アルファルファ、マシュマロウ、ラベンダー、レモングラス、タスマニアペッパー、レモンマートル、アニスマートル、マジョラム、ミント、ヨモギ、レモンバーム、アリタソウ、カレーリーフ、パセリ、シソ、サンショウ、ラビジ、ヒソップ、カノコソウ、ノコギリソウ、カタバミ、タラゴン、チャービル、ジンブ、クルマバソウ、タイマ、ルー、ミツバ、ローズマリー、セージ、オレガノ、タイム、スペアミント、ペパーミント、コエンドロ、シナモン、カシア、フェンネル、フェヌグリーク、ディルマスタード、クローブ、サフラン、タマネギ、ニンニク、ニラ、ショウガ、ターメリック、グレープシード、ブラックペッパー、スターアニス、ダイズ、メースおよびその組合せを含む葉、花、種、木皮、球根、種衣および根から選択されてよい。
【００５８】
茶は、緑茶、白茶、黄茶、ハーブ茶、後発酵茶、ウーロン茶または黒茶であってよい。茶は、チャノキ（Camellia sinensis）から得られてよい。
【００５９】
ハーブは、ローズマリー属（Rosmarinus）、サルビア属（Salvia）またはオレガノ属（Origanum）から選択されてよい。一実施形態において、ハーブは、ローズマリー（Rosmarinus officinalis）、セージ（Salvia officinalis）、オレガノ（Origanum vulgaro）およびその組合せから選択されてよい。別の実施形態において、ハーブは、ローズマリーであってよい。
【００６０】
スパイスは、ワトルシード、サフラン、ショウガ、ターメリック、グレープシード、チリペッパー、クミン、オールスパイス、アニス、キャラウェイ、カルダモン、カシア、シナモン、クローブ、コエンドロ、クミン、フェンネル、フェヌグリーク、ゲットウ、ニンニク、ショウガ、セイヨウワサビ、コクム、マスタード、ナツメグ、ポピーシード、ローズ、パプリカ、サフラン、キハゼ、タマリンド、ターメリック、バニラ、ゴマ、サルサパリラ、サッサフラス、トンカビーンおよびその組合せを含む葉、花、種、木皮、球根、種衣および根から選択されてよい。
【００６１】
他の実施形態において、天然抗酸化剤は、１種またはそれ以上の天然由来フェノール、ポリフェノール、フェノール酸、フェノールエステル、フェノールモノテルペン、フェノールジテルペン、カロチノイド、クルクミン、キサントン、ビタミンＡ、ＥおよびＣ、カフェオイル誘導体、クエン酸、アスコルビン酸、モノ−、ジ−またはトリテルペン、フラボノイド、テルペノイド、リグナン、スルフィド、植物ステロール、クルクミン、スチルベノイド、フタリド、トコトリエノール、トコフェロール、テルペン化合物およびその組合せであってよい。
【００６２】
一実施形態において、天然抗酸化剤は、ロスマノール、７−メチル−ロスマノール、カルノソール、カルノシン酸または１２−メチルカルノシン酸であってよい。他の実施形態において、天然抗酸化剤は、カフェー酸、ロスマリン酸、カルノソール、カルノシン酸およびその組合せであってよい。
【００６３】
なおさらなる実施形態において、天然抗酸化剤は、ルテイン、ルチン、アントシアニン、α−ピネン、ボルネオール、（−）−カンフェン、１，８−シネオール、カンファー、ベルべノン、ボルニルアセテート、１２−Ｏ−メチルカルノシン酸、カフェオイル誘導体、ルパン、オレアナン、ウルサントリテルペン、ウルソル酸、クエルセチン、ロフィセロン、モノテルペン、ミルセン、７−メチルエピロスマノール、カンファー、カテキン、カルバクロール、イソスクテラレイン７−Ｏ−グルコシド、ゲンクワニン、ｐ−シメン、リナロオール、ガンマ−テルピネン、チモール、β−ピネン、オイカリプトール、リノール酸、ロスマリキノン、モノテルペン炭化水素、酸化モノテルペン、セスキテルペン炭化水素、（−）−メチルジャスモネート、ロスマノール、ロスマジアル、ｏ−キノン、ｐ−キノン、エリオシトリン、ルテオリン３−Ｏ−ベータ−Ｄ−グルクロニド、ヘスペリジン、ジオスミン、イソスクテラレイン７−Ｏ−グルコシド、ヒスピデュリン７−Ｏ−グルコシド、ギンゲロール、ショウガオール、ジンゲロン、４−ヒドロキシシンナモイルメタン、ケンペロール、ラムネチン、カプサイシン、カプサイシノール、フェノール揮発性油、オイゲノール、アセチルオイゲノール、アスコルビルパルミテート、イソオイゲノール、タンニン、ベータカロテン、ベータ−シトステロール、ヒドロキノン、酢酸リナリルプラント３−１７、ミルセン、テルピネン−４−オール、クミナル、−γ−テルピネン、ピノカルベノール、リナロオール、１−メチル−２−（１−メチルエチル）ベンゼン、カロトール、イソロスマノール、アツントゼンシン（atuntzensin）Ａ、ロスマノール−７−エチルエーテル、ジメトキシ−ロスマノール、ロスマジアル、サフィシノリド、サゲオン、ロスマリキノン（ミルトロン（Miltrone））、ロスマリジフェノール、フィスシオン、アピゲニン、ヒスピデュリン、シルシマリチン、５，４’−ジヒドロキシ−６，７，８−トリメトキシフラボン、５−ヒドロキシ−７，４’−ジメトキシフラボン、カルノソールのメチルおよびエチルエステル、カフェー酸、プロトカテキュ酸、２−カフェオイルオキシ−３−［２−（４−ヒドロキシベンジル）−４，５−ジヒドロキシ］フェニルプロピオン酸、フラボノイド、エリオジクチオール、ジヒドロクエルセチン、ジヒドロケンペロール、ｐ−クメン−２，３−ジオール、没食子酸、サルビゲニン、ルテオリン、ユーパホリン、ルテオリン−７−Ｏ−グルコシド、ホモプランタギニン、アピゲニン−７−Ｏ−グルコシド、６−Ｏ−カフェオイル−ベータ−Ｄ−フルクトフラノシル−（２−−＞１）−アルファ−Ｄ−グルコピラノシド、１−Ｏ−カフェオイル−ベータ−Ｄ−アピオフラノシル−（１−−＞６）−ベータ−Ｄ−グルコピラノシド、１−Ｏ−ｐ−ヒドロキシベンゾイル−ベータ−Ｄ−アピオフラノシル−（１−−＞６）−ベータ−Ｄ−グルコピラノシド、１−Ｏ−（２−ヒドロキシ−５−２−ヒドロキシ−エチル）フェニル−６−Ｏ−トランスカフェオイル）−ベータ−Ｄ−グルコピラノシド、４−Ｏ−（５−Ｏ−（３，５−ジメトキシ−４−ヒドロキシベンゾイル）−ベータ−Ｄ−アピオフラノシル−（１−−＞２）−ベータ−Ｄ−グルコピラノシ��、６−Ｏ−Ｅ−フェロイル−（アルファおよびベータ）−グルコピラノシド、（＋）−１−ヒドロキシピノレジノール−１ベータ−Ｄ−グルコシド、（＋）−フラキシレジノール（fraxiresinol）−１−ベータ−Ｄ−グルコシドおよびその組合せ、（−）−エピカテキン（ＥＣ）、（−）−エピカテキンガラート（ＥＣＧ）、（−）−エピガロカテキン（ＥＧＣ）および（−）−エピガロカテキンガラート（ＥＧＣＧ）を含むカテキン化合物、バニリン、クロロゲンおよび五環系トリテルペン、例えば、ウルソール、オレアノール、ベツリン酸、ボツリン、アルファ−アミリン、ベータ−アミリンおよびその組合せから選択されてよい。
【００６４】
天然由来化合物は、例えば、上記の抽出技術を使用して、天然供給源から入手されてもよく、あるいは商業的供給源から購入されてもよい。天然抗酸化剤は、食品グレードであってもよく、あるいは抗酸化剤、フィラー、ブレンダー、フレーバーとして特に認可されたＧＲＡＳ（Generally Recognised as Safe（一般に安全と認められる））であってもよい。これによって、天然抗酸化剤が食品包装における使用のために安全である可能性が増加する。
【００６５】
いくつかの実施形態において、食品包装材料は、天然抗酸化剤の異性体である抗酸化剤をさらに含んでもよい。異性体は、構造異性体または立体異性体であってよい。一実施形態において、天然抗酸化剤の異性体である抗酸化剤は、エリソルビン酸ナトリウムであってよい。
【００６６】
食品包装材料は、複数の天然抗酸化剤を含んでもよい。いくつかの実施形態において、天然抗酸化剤は、複数の抗酸化剤の抗酸化剤活性が、個々の抗酸化剤の活性の合計より高くなるように、相乗的に相互作用し得る。天然抗酸化剤は、抗菌活性も有し得る。
【００６７】
本発明は、ここで、実例としてのみ、次の実施例に関して、より詳細に記載される。実施例は、本発明を例示するのに役立つように意図され、そして本明細書を通しての記載の開示の普遍性を限定するものとして解釈されるべきではない。
【実施例】
【００６８】
実施例
実施例１−抗酸化剤を含有するフィルムの調製
食品グレードのローズマリー抽出物およびポリエチレン樹脂を含むマスターバッチを調製した。ローズマリー抽出物は、重量で、２４〜２６％の全抗酸化剤フェノールジテルペン、＞１６％のカルノシン酸、１〜４％の精油、＜１％の水、２％未満のアルコール、（有機）ヒマワリ油およびクチクラワックスを含んだ。マスターバッチをポリマー樹脂に添加し、次いで、押出成形して、薄フィルムを形成した。
【００６９】
実施例２−フィルムからの抗酸化剤の移行
天然抗酸化剤活性化合物が抗酸化剤活性フィルムから移行したことを確認するために、移行試験を実施した。
【００７０】
以下の試料を調製した。
【００７１】
試料１：約７，５００ｐｐｍのフェノールジテルペンを含有する食品グレードのローズマリー抽出物を含むＬＤＰＥフィルム。
【００７２】
試料２：約１２５ｐｐｍのフェノールジテルペンを含有する食品グレードのローズマリー抽出物を含むＬＤＰＥフィルム。
【００７３】
試料３：約１１２．５ｐｐｍのフェノールジテルペンを含有する食品グレードのローズマリー抽出物を含むＬＤＰＥフィルム。
【００７４】
試料４：約１１２．５ｐｐｍのフェノールジテルペンを含有する食品グレードのローズマリー抽出物を含むＨＤＰＥフィルム。
【００７５】
試料５：約２５ｐｐｍのフェノールジテルペンを含有する食品グレードのローズマリー抽出物を含むＬＤＰＥフィルム。
【００７６】
商業的ローズマリー抽出物も対照として試験した（試料６）。
【００７７】
試料１〜６は、Australian Standard AS2070-1999に従って、類似物プロトコルによるシミュレーションを受けた。類似物は、５０％エタノールであった。エタノールの５０％溶液を調製した（５０：５０  ｖ／ｖエタノール：ｍｉｌｌｉＱ水）。１０ｃｍ×１０ｃｍのフィルムの副試料を計量し、次いで、抑えた照明の下、５０％エタノール溶液で抽出した。これらの抽出物を、液体クロマトグラフィータンデム型質量分析（ＬＣＱＱＱ）によって分析し、そして特徴的イオンの存在（カルノソールおよびカルノシン酸のそれぞれに対して、ｍ／ｚ２８５および２８７）を監視した。
【００７８】
特徴的イオンは、試料１〜６の全てに関して検出され、それによって、試験フィルムからのカルノソールおよびカルノシン酸の移行の成功の証明が提供された。結果を図１〜６に示す。
【００７９】
類似物溶液中のカルノソールおよびカルノシン酸の濃度は、１０分の接触時間後に半量的に決定することが可能であった。濃度は、以下の表１に示される。
【００８０】
【表１】
2018537369.tif 000003
【００８１】
実施例３−フィルムの抗酸化剤特性
フィルムの抗酸化剤特性を測定するために、試料１、２および４に、実際のフードシステムによるシミュレーションを受けさせた。食品類似物は、エクストラバージンオリーブオイル（ＥＶＯＯ）であった。
【００８２】
シミュレーションの目的は、抗酸化剤含有フィルムが、酸化から食品類似物を保護することが可能であったかどうか決定することであった。
【００８３】
試料１および２に相当するフィルムから製造されたバッグ、ならびに試料４のバッグをＥＶＯＯと接触させ、次いで、周囲または加熱条件下のいずれかで貯蔵した。この目的は、酸化される機会を有するＥＶＯＯ試料を提供し、それによって、過酸化物価の変化を経時的に測定することであった。ＥＶＯＯ酸化（過酸化物価の増加）を、次いで、抗酸化剤を有さない対照フィルムと比較した。
【００８４】
それぞれのバッグにＥＶＯＯを充填した。基線値を確立するために、ＥＶＯＯの過酸化物価を時間ゼロ（ｔ＝０）で測定した。２つの異なるＥＶＯＯ試料を、異なる酸化段階において使用した。オーストラリアのＥＶＯＯ（Red Islandブランド）は、１２．５７ミリ当量過酸化物／ｋｇの基線過酸化物価を有した。スペインのＥＶＯＯ（Moroブランド）は、７．９２ミリ当量過酸化物／ｋｇの基線過酸化物価を有した。ＥＶＯＯ試料は、試験が、フィルムからのいずれの抗酸化剤作用も１４日間の試験時間内に測定可能であろうことを保証するように選択された。
【００８５】
それぞれのＥＶＯＯ類似物系の過酸化物価（ＰＶ）は、３つの時間間隔、ｔ＝０日、ｔ＝７日およびｔ＝１４日で測定された。ＥＶＯＯ試料の酸化を促進するため、そしていずれの抗酸化剤作用も測定するために、露光、外気および加熱が試験された。
【００８６】
露光は、酸化プロセスの要因になることが知られている。周囲試験試料は、試験期間（ｔ＝１４日）にわたって、完全光で曝露されるように保持された。図７は、室温（２１℃）で貯蔵され、そして露光されたＥＶＯＯを有するバッグのファイリングを示す。図８および９は、得られたＰＶを示す。「低用量」は試料１に相当し、「中間用量」は試料２に相当し、そして「高用量」は試料４に相当する。図８および９は、様々な量の抗酸化剤を有するバッグが、首尾一貫して、量に独立して酸化を遅らせることを示す。
【００８７】
本発明の実施形態は、品質低下、色変化および劣化から食品を保護するために、酸化反応を有意に抑制し、かつ酸素ラジカルの掃去剤として抗酸化剤化合物を活性的に放出する抗酸化剤活性食品包装を提供する。
【００８８】
本明細書の目的に関して、「含むこと」という用語は、「含むが、限定されないこと」を意味し、かつ「含む」という用語は、相当する意味を有する。
【００８９】
上記の実施形態は、例としてのみ記載されたものであり、そして以下の請求の範囲内で修正が可能である。
【図１】
2018537369.tif 000004
【図２】
2018537369.tif 000005
【図３】
2018537369.tif 000006
【図４】
2018537369.tif 000007
【図５】
2018537369.tif 000008
【図６】
2018537369.tif 000009
【図７】
2018537369.tif 000010
【図８】
2018537369.tif 000011
【図９】
2018537369.tif 000012
【国際調査報告】
2018537369.tif 000013
2018537369.tif 000014
2018537369.tif 000015